(57)【要約】【課題】如何なるコネクタであっても、ケーブルのコネクタの取り付け部に負荷がかかることなく、ケーブル抜けを防止できるようにすること。【解決手段】基盤と、前記基盤をラックに取り付ける取付具とを有し、  前記基盤は、偶数個の穴（１１、１２、２１、２２）を有し、相対する２つの穴（１１と１２、２１と２２）で１つの組となり、各組の一方の穴（１２、２２）のみに、結束バンド（１０、２０）の一端が固定されていることを特徴とするケーブル抜け防止具。【選択図】図１
2006012582.tif 000002
【特許請求の範囲】
【請求項１】
基盤と、前記基盤をラックに取り付ける取付手段とを有し、
前記基盤は、前記ラックに設置された電子機器にコネクタを介して接続されているケーブルの束を、前記基盤に固定するケーブル固定手段を備えることを特徴とするケーブル抜け防止具。
【請求項２】
基盤と、前記基盤を電子機器に取り付ける取付手段とを有し、
前記基盤は、前記電子機器にコネクタを介して接続されているケーブルの束を、前記基盤に固定するケーブル固定手段を備えることを特徴とするケーブル抜け防止具。
【請求項３】
前記ケーブル固定手段が、前記基盤に設けられた偶数個の穴であって、相対する２つの穴で１つの組となり、各組の一方の穴のみに、結束バンドの一端が固定されていることを特徴とする請求項１又は２に記載のケーブル抜け防止具。
【発明の詳細な説明】
【技術分野】
【０００１】
本発明は、ケーブル抜けを防止する技術に関する。
【背景技術】
【０００２】
従来から、互いに接続可能な一対のコネクタの内、一方をサーバなどの電子機器に固着し、他方をケーブルの端部に取り付けて、両コネクタを接続することにより、ケーブルと、電子機器とを接続することが行われている。しかしながら、このような接続では、ケーブルに対して外力が加わると、一方のコネクタが、他方のコネクタから抜けてしまうことがある。これを、ケーブル抜けとも云う。
【０００３】
ケーブル抜けを防止する方法として、従来、ネジやコネクタ抜け防止具などで、両コネクタを固定するものが知られている（特許文献１参照）。
【０００４】
しかしながら、電子機器の筐体に埋まっているコネクタなど、コネクタによっては、ネジやコネクタ抜け防止具などで、両コネクタを固定することが不可能である場合がある。
【０００５】
また、ネジやコネクタ抜け防止具などで、両コネクタを固定した場合に、ケーブルに対して外力が加わると、ケーブルのコネクタの取り付け部に負荷がかかる。
【特許文献１】特開２００２−２６０７８２号公報
【発明の開示】
【発明が解決しようとする課題】
【０００６】
本発明は斯かる背景技術に鑑みてなされたもので、如何なるコネクタであっても、ケーブルのコネクタの取り付け部に負荷がかかることなく、ケーブル抜けを防止できるようにすることを課題とする。
【課題を解決するための手段】
【０００７】
本発明において上記課題を達成するために、まず請求項１の発明では、基盤と、前記基盤をラックに取り付ける取付手段とを有し、
前記基盤は、前記ラックに設置された電子機器にコネクタを介して接続されているケーブルの束を、前記基盤に固定するケーブル固定手段を備えることを特徴とするケーブル抜け防止具としたものである。
【０００８】
また請求項２の発明では、基盤と、前記基盤を電子機器に取り付ける取付手段とを有し、
前記基盤は、前記電子機器にコネクタを介して接続されているケーブルの束を、前記基盤に固定するケーブル固定手段を備えることを特徴とするケーブル抜け防止具としたものである。
【０００９】
また請求項３の発明では、前記ケーブル固定手段が、前記基盤に設けられた偶数個の穴であって、相対する２つの穴で１つの組となり、各組の一方の穴のみに、結束バンドの一端が固定されていることを特徴とする請求項１又は２に記載のケーブル抜け防止具としたものである。
【発明の効果】
【００１０】
請求項１の発明では、ケーブル固定手段が、ラックに設置された電子機器にコネクタを
介して接続されているケーブルの束を、ラックに取り付けられている基盤に固定するので、この固定により、ケーブルに対して加わる外力が吸収され、如何なるコネクタであっても、ケーブルのコネクタの取り付け部に負荷がかかることなく、ケーブル抜けを防止できるという効果がある。
【００１１】
請求項２の発明では、ケーブル固定手段が、電子機器にコネクタを介して接続されているケーブルの束を、電子機器に取り付けられている基盤に固定するので、この固定により、ケーブルに対して加わる外力が吸収され、如何なるコネクタであっても、ケーブルのコネクタの取り付け部に負荷がかかることなく、ケーブル抜けを防止できるという効果がある。
【００１２】
請求項３の発明では、結束バンドを固定した穴と、この穴と組みの穴との間に、ケーブルの束を置き、この結束バンドを、結束バンドを固定した穴と組みの穴に通し、さらに、結束バンドを固定した穴に通すことを、結束バンドを巻き尽くすまで繰り返すことで、ケーブルの束を基盤に固定できるので、ケーブルの束の基盤への固定が容易に行えるという効果がある。
【００１３】
以上、本発明は、如何なるコネクタであっても、ケーブルのコネクタの取り付け部に負荷がかかることなく、ケーブル抜けを防止できるという効果がある。
【発明を実施するための最良の形態】
【００１４】
以下に、本発明の最良の一実施形態を説明する。
【００１５】
本実施形態のケーブル抜け防止具は、図２に示すように、ラックのレールのネジ穴に固定して、このラックのレールに取り付けられる電子機器を対象として、ケーブル抜けを防止するものである。
【００１６】
本実施形態のケーブル抜け防止具は、図１に示すように、基盤と、この基盤の左右に取付具とを有する。
【００１７】
各々の取付具は、ネジ穴を有する。図３に示すように、電子機器の背面の下部に基盤を接触させて、各々の取付具の有するネジ穴を、それぞれ、ラックのレールのネジ穴に固定することによって、本実施形態のケーブル抜け防止具を、ラックのレールに取り付ける。図３に描かれている電子機器は、図２に描かれている電子機器と同じもので、その背面に、コネクタａと、コネクタｂ（図３では結束バンド２０に隠れている）とが埋め込まれている。
【００１８】
基盤は、遇数個の穴を有する。これらの穴は、相対する２つの穴で１つの組となり、各組の一方のみに、結束バンドの一端が固定されている。図１に示すケーブル抜け防止具の例では、穴１１と、穴１２と、穴２１と、穴２２とを有し、穴１１と１２とが１つの組となり、穴２１と２２とがもう１つの組となり、穴１２に結束バンド１０の一端が固定され、穴２２に結束バンド２０の一端が固定されている。
【００１９】
結束バンドは、コネクタを介して電子機器に接続されたケーブルの束を基盤に固定するためのマジックテープ（登録商標）とも呼ばれる面ファスナーである。
【００２０】
図４に、電子機器の背面のコネクタａに、ケーブル１のコネクタＡを接続し、電子機器の背面のコネクタｂに、ケーブル２のコネクタＢを接続し、結束バンド１０と結束バンド２０とで、ケーブル１とケーブル２との束を基盤に固定した状態を示す。
【００２１】
結束バンドによるケーブルの束の基盤への固定は、結束バンドを固定した穴と、この穴と組みの穴との間に、ケーブルの束を置き、この結束バンドを、結束バンドを固定した穴と組みの穴に通し、さらに、結束バンドを固定した穴に通すことを、結束バンドを巻き尽くすまで繰り返すことで、行われる。例えば、結束バンド１０によるケーブル１とケーブル２との束の基盤への固定は、ケーブル１とケーブル２との束を穴１１と穴１２の間に置き（図５の（イ）参照）、結束バンド１０を、穴１１に通し（図５の（ロ）参照）、さらに、穴１２に通す（図５の（ハ）参照）ことを、結束バンド１０を巻き尽くすまで繰り返すことで、行われる。同様に、結束バンド２０によるケーブル１とケーブル２との束の基盤への固定は、ケーブル１とケーブル２との束を穴２１と穴２２の間に置き、結束バンド２０を、穴２１に通し、さらに、穴２２に通すことを、結束バンド２０を巻き尽くすまで繰り返すことで、行われる。
【００２２】
本実施形態において、各々の取付具は、基盤を、ラックのレールに取り付けるためのものであるが、基盤を電子機器に直接取り付けるためのものであっても良い。
【図面の簡単な説明】
【００２３】
【図１】本実施形態のケーブル抜け防止具の例を表す斜視図。
【図２】ラックのレールにサーバを固定した状態の例を表す斜視図。
【図３】本実施形態のケーブル抜け防止具と電子機器とをラックのレールの同じ箇所に固定した状態の例を表す斜視図。
【図４】ケーブルを基盤に固定した例を表す平面図。
【図５】（イ）は、ケーブル１とケーブル２の束を、穴１１と、穴１２との間に置いた状態の例を表し、（ロ）は、結束バンド１０を、穴１１に１回通して、ケーブル１とケーブル２の束を、基盤に密着させた状態の例を表し、（ハ）は、結束バンド１０を、穴１１に１回通し、さらに、穴１２に１回通して、ケーブル１とケーブル２の束を基盤に固定した状態の例を表す断面図。
【符号の説明】
【００２４】
１…ケーブル
２…ケーブル
１０…結束バンド
１１…穴
１２…穴
２０…結束バンド
２１…穴
２２…穴
Ａ…コネクタ
Ｂ…コネクタ
ａ…コネクタ
ｂ…コネクタ
【図１】
2006012582.tif 000003
【図２】
2006012582.tif 000004
【図３】
2006012582.tif 000005
【図４】
2006012582.tif 000006
【図５】
2006012582.tif 000007